(57)【要約】      （修正有）【課題】簡単な構成でより優れた美容効果・マッサージ効果を実現し得るマッサージ器具を提供する。【解決手段】マッサージ器具１は、それぞれローラー支軸に回動自在に軸支された１対の円筒状ローラー３ａ，３ｂと、各ローラー支軸をそれぞれ先端に設けた１対のアーム部５ａ，５ｂをその基端で基部４に一体に結合したハンドル部２とを備える。ローラー支軸は、アーム部の長手方向に所定の間隔をもって離隔され、かつアーム部の先端から所定の開き角度をもって互いに離反する向きに配向されている。アーム部は、両ローラー支軸の間隔を拡大及び縮小する向きに弾性変形し得るように形成され、ハンドル部は合成樹脂材料で一体成形することができる。【選択図】図１
0003206001.tif 000002
【実用新案登録請求の範囲】
【請求項１】
外周面に弾力性を有する円筒状の１対のローラーと、
前記各ローラーをそれぞれ回動自在に軸支する１対のローラー支軸と、
前記各ローラー支軸をそれぞれ先端に設けた１対のアーム部と、前記各アーム部の基端を一体に結合する基部とを有するハンドル部とからなり、
前記ローラー支軸が、前記アーム部の長手方向に直交する向きに所定の間隔をもって離隔され、前記アーム部の先端から所定の角度をもって互いに離反する向きに配向され、
前記アーム部が、前記両ローラー支軸の間隔を拡大及び縮小する向きに弾性変形可能であることを特徴とするマッサージ器具。
【請求項２】
前記アーム部が、その長手方向に関して前記ローラー支軸を捩る方向に弾性変形可能であることを特徴とする請求項１に記載のマッサージ器具。
【請求項３】
前記１対のローラー、前記１対のローラー支軸及び前記１対のアーム部が、前記アーム部の長手方向の中心線に関して対称に設けられていることを特徴とする請求項１又は２に記載のマッサージ器具。
【請求項４】
前記ローラー支軸が、共通の平面内で互いに離反する向きに配向されていることを特徴とする請求項１乃至３のいずれかに記載のマッサージ器具。
【請求項５】
前記アーム部が、前記先端において前記共通の平面からその片側に斜めに延出し、かつ中間部で前記共通の平面に向けてく字状に曲げられていることを特徴とする請求項１乃至４のいずれかに記載のマッサージ器具。
【請求項６】
前記ローラー支軸の前記所定の角度が１２０〜１５０°の範囲内であることを特徴とする請求項１乃至５のいずれかに記載のマッサージ器具。
【請求項７】
前記ローラーの少なくとも外周面が、ホルミシスイオンを放射する希土類元素を含有するシリコン樹脂材料で形成されていることを特徴とする請求項１乃至６のいずれかに記載のマッサージ器具。
【請求項８】
前記ハンドル部が樹脂材料で一体成形されていることを特徴とする請求項１乃至７のいずれかに記載のマッサージ器具。
【考案の詳細な説明】
【技術分野】
【０００１】
本考案は、身体の様々な部位に適用されて、美容効果・マッサージ効果を発揮するマッサージ器具に関する。
【背景技術】
【０００２】
従来より、身体各部の皮膚にローラーを押し当てて転動させ、その刺激によるマッサージ効果や美容効果を発揮する様々なマッサージ器及び美容器が提案されている（例えば、特許文献１〜４を参照）。
【０００３】
特許文献１には、皮膚の上で転動されるローラを、杆体の主軸部の一端から２股状に分かれた１対の分岐軸部に回動自在に取り付けたローラ型マッサージ器具が開示されている。これにより、同時に２個のローラを皮膚の２個所で転動させ、より広い範囲を同時にマッサージすることができる。
【０００４】
特許文献２には、マッサージローラをそれぞれ先端部に回転自在に支持する一対の脚部を、その後部同士を連結する第１連結部と、それより先端側で脚部同士を連結する第２連結部とによって連結したマッサージ器が記載されている。使用時は、第２連結部を第１連結部側に引き寄せるように把持し又はその把握力を加減して、使用者の身体を挟み込むマッサージローラの間隔を変化させ、マッサージをより効率的に行うようにしている。
【０００５】
特許文献３、４には、ローラーを回転可能に支持する軸部をそれぞれ支持する１対のサブハンドル部を開閉可能に連結した美容器が開示されている。ローラーの間隔は、使用する身体の部位にローラーを押し当ててサブハンドル部を押し広げることにより、該部位の形状に応じて適宜調整される。
【先行技術文献】
【特許文献】
【０００６】
【特許文献１】実用新案登録第３１６１７４４号公報
【特許文献２】特開２００７−１３０３２７号公報
【特許文献３】特開２０１５−１６３１７８号公報
【特許文献４】特開２０１５−１６３１７９号公報
【考案の概要】
【考案が解決しようとする課題】
【０００７】
しかしながら、上述した特許文献１記載のマッサージ器具は、各ローラーの取付位置及びその間隔が一定に固定されている。そのため、一度にローラーを接触させ得る部位の範囲が一定であり、使用される身体の部位の形状やその変化に十分に適応できない場合がある。
【０００８】
特許文献２記載のマッサージ器は、使用時に第２連結部を把持する手の把握力の作用方向と、マッサージローラが使用者の身体を挟み込む向きとが概ね直交しているため、その力加減が難しく、効果的なマッサージを行うことは困難である。しかも、マッサージローラの間隔は、これを狭める方向にのみ変化し、開く方向に調整することができないため、マッサージ効果に限界がある。
【０００９】
また、特許文献３、４記載の美容器は、サブハンドル部を開閉可能に連結するために、その連結部をベローズ構造等の伸縮可能な構造やエラストマー等の容易に伸縮可能な材料で構成したり、ばね部材やゴム等の付勢手段を用いてサブハンドル部の位置を自然状態に戻している。そのため、部品点数が多くかつ構造が複雑になり、組み立て作業が面倒で時間を要し、製造コストが高くなる虞がある。更に、サブハンドル部の開閉範囲は、連結部の寸法により制限され、しかもローラーが球状体であるので、一度に身体の広い部位に適用することは困難である。
【００１０】
そこで、本考案の目的は、比較的簡単な構成で、より優れた美容効果・マッサージ効果を実現し得るマッサージ器具を提供することにある。
【課題を解決するための手段】
【００１１】
本考案のマッサージ器具は、外周面に弾力性を有する円筒状の１対のローラーと、
各ローラーをそれぞれ回動自在に軸支する１対のローラー支軸と、
各ローラー支軸をそれぞれ先端に設けた１対のアーム部と、各アーム部の基端を一体に結合する基部とを有するハンドル部とからなり、
ローラー支軸が、アーム部の長手方向に直交する向きに所定の間隔をもって離隔され、アーム部の先端から所定の角度をもって互いに離反する向きに配向され、
アーム部が、両ローラー支軸の間隔を拡大及び縮小する向きに弾性変形可能であることを特徴とする。
【００１２】
或る実施形態では、アーム部が、その長手方向に関してローラー支軸を捩る方向に弾性変形可能である。
【００１３】
別の実施形態では、１対のローラー、１対のローラー支軸及び１対のアーム部が、アーム部の長手方向の中心線に関して対称に設けられている。
【００１４】
或る実施形態では、ローラー支軸が、共通の平面内で互いに離反する向きに配向されている。
【００１５】
別の実施形態では、アーム部が、先端において共通の平面からその片側に斜めに延出し、かつ中間部で前記共通の平面に向けてく字状に曲げられている。
【００１６】
また、別の実施形態では、ローラー支軸の前記所定の角度が１２０〜１５０°の範囲内である。
【００１７】
或る実施形態では、ローラーの少なくとも外周面が、ホルミシスイオンを放射する希土類元素を含有するシリコン樹脂材料で形成されている。
【００１８】
更に別の実施形態では、ハンドル部が樹脂材料で一体成形されている。
【考案の効果】
【００１９】
本考案のマッサージ器具は、１対のアーム部が弾性変形することによって、１対のローラーを互いに離反又は接近させ、形態や凹凸が異なる身体の様々な部位において、ローラーの外周面を皮膚面に押し当てることができる。このとき、弾性変形したアーム部は、元の状態に弾性復帰しようとして反力を発生させ、それが両ローラーを通して皮膚に作用するので、従来よりも広い範囲に同時に、従来よりも優れたマッサージ効果、美容効果を与えることができる。
【図面の簡単な説明】
【００２０】
【図１】本考案のマッサージ器具の好適な実施形態を示す斜視図。
【図２】図１のマッサージ器具の平面図。
【図３】図１のマッサージ器具の側面図。
【図４】図１のマッサージ器具の正面図。
【考案を実施するための形態】
【００２１】
以下に、添付図面を参照しつつ、本考案をその好適な実施態様に基づいて詳細に説明する。添付図面において、同一又は類似の構成要素には、同一又は類似の参照符号を付して表すものとする。
【００２２】
本考案のマッサージ器具１は、図１に示すように、細長いハンドル部２と、その先端に設けられた１対のローラー３ａ，３ｂとを備える。ハンドル部２は、ローラー３ａ，３ｂとは反対側の端部に設けられた基部４と、該基部から前記ローラーに向けて長手方向に延出する１対のアーム部５ａ，５ｂとを有する。本実施形態では、マッサージ器具１が、基部４の中心を通るハンドル部２の中心軸Ｃ（図２）に関して左右対称に構成されている。
【００２３】
図２の平面図において、アーム部５ａ，５ｂは、長手方向に比較的狭い所定の間隙をもって概ね平行に直線状に延長し、全体として基部４から先端に向けて細く即ち幅が徐々に僅かに小さくなるように形成されている。より詳細には、各アーム部５ａ，５ｂは、基部４との連結部分付近が、長手方向に少しの距離だけ前記間隙を拡大しつつ互いに外向きに幾分離反するように延長し、そこから前記先端との中間位置よりも幾分基部４側の位置まで、前記間隙を徐々に小さくするようにやや内向きに延長した後、前記先端まで前記間隙を略一定に維持している。
【００２４】
図３の側面図において、アーム部５ａ，５ｂは、長手方向に前記先端との中間位置よりも幾分基部４側の位置を頂点とする比較的低い上向き凸のく字状に湾曲している。更に、アーム部５ａ，５ｂは、全体として基部４から前記先端に向けて細く即ち厚さが徐々に僅かに小さくなるように形成されている。
【００２５】
各アーム部５ａ，５ｂの先端には、外径一定の円形ロッド状をなすローラー支軸６ａ，６ｂが一体に設けられている。本実施形態のローラー支軸６ａ，６ｂは、図２に断面視するように、前記アーム部の先端を外向きに互いに離反する向きに屈曲させた取付支持部７ａ，７ｂと、該取付支持部の先端にそれぞれ一体に螺着されたローラー取付軸８ａ，８ｂとから構成される。
【００２６】
取付支持部７ａ，７ｂは比較的短い円柱状の軸部を有し、その先端面には同心位置にねじ孔９ａ，９ｂが凹設され、基端には、ローラー３ａ，３ｂの受けとして、フランジ部１０ａ，１０ｂが半径方向に突設されている。ローラー取付軸８ａ，８ｂは、比較的長い真直ぐな頭付き円形軸部の先端に、前記取付支持部のねじ孔９ａ，９ｂに螺合するねじ部１１ａ，１１ｂが形成されている。前記円形軸部のつば状の頭部１２ａ，１２ｂは、後述するようにローラー３ａ，３ｂを抜け止めする押さえとしても機能する。
【００２７】
ローラー支軸６ａ，６ｂは、図３に示すように側面から見て、その軸線Ａ１，Ａ２が共通の水平面Ｓ内にあるように配置される。更に、ハンドル部２は、共通の水平面Ｓが基部４の略中心を通過し、各アーム部５ａ，５ｂが長手方向に沿って基部４側に向けて、共通の水平面Ｓから図中上向き斜めに延出し、中間部付近から水平面Ｓに向けてく字状に曲げられている。
【００２８】
ローラー支軸６ａ，６ｂは、それらを自然状態で水平に置いた図２に示すように、ハンドル部２の中心軸Ｃに直交する向きに所定の間隔をもって離隔され、それらの軸線Ａ１，Ａ２が、少なくとも１８０°より小さい所定の開き角度θをもって互いに離反する向きに配向されている。所定の開き角度θは、好ましくは１２０〜１５０°の範囲内に、より好ましくは約１３７°に設定される。
【００２９】
ローラー３ａ，３ｂは、図２に断面視するように、軸孔１３ａ，１３ｂを同心に貫設した円筒状に形成されている。ローラー３ａ，３ｂは、その全体又は少なくとも外周面が、弾力性を有するウレタン樹脂等の樹脂材料で形成されている。前記樹脂材料は、一般に美容効果を有することが知られているホルミシスイオンを放射する希土類元素を、例えばその中に練り込むことによって含有していると、好都合である。
【００３０】
軸孔１３ａ，１３ｂは、ローラー３ａ，３ｂがローラー支軸６ａ，６ｂに回動自在に装着されるように、前記ローラー支軸の外径より僅かに大きい一定の内径を有する。軸孔１３ａ，１３ｂの両端には、その開口周縁に、ローラー支軸６ａ，６ｂの外径に対応する内径の軸受１４１，１４２がそれぞれ一体に取り付けられている。これにより、各ローラー３ａ，３ｂをローラー支軸６ａ，６ｂに関してより円滑に回転させることができる。
【００３１】
ローラー３ａ，３ｂは、それぞれ軸孔１３ａ，１３ｂに一方の端部からねじ部１１ａ，１１ｂを先にしてローラー取付軸８ａ，８ｂを挿通し、かつ該軸孔の反対側の端部から取付支持部７ａ，７ｂを挿入し、前記ねじ部を前記取付支持部のねじ孔９ａ，９ｂに締め付けることによって、ハンドル部２の各アーム部５ａ，５ｂの先端に取り付けられる。これにより、ローラー３ａ，３ｂは、その両端を取付支持部７ａ，７ｂのフランジ部１０ａ，１０ｂ及びローラー取付軸８ａ，８ｂの頭部１２ａ，１２ｂにより軸線方向に抜け止めしつつ、回動自在に装着される。
【００３２】
ハンドル部２は、例えばポリプロピレンやポリイミド系、アクリル系等の合成樹脂材料によって、上述した形態に一体成形されている。それにより、少なくともアーム部５ａ，５ｂは、その基部４側を支点として略全体を又は先端側を長手方向に直交する向きに撓曲させるように弾性変形可能である。
【００３３】
アーム部５ａ，５ｂは、図２に想像線１５ａ，１５ｂで例示するように、前記長手方向に直交する左右方向外側及び内側に、図３に想像線１６ａ，１６ｂで例示するように、前記長手方向に直交する上下方向に、それぞれ前記両ローラー支軸の間隔を拡大及び縮小する向きに弾性変形させることができる。更にアーム部５ａ，５ｂは、図４の正面図に想像線１７ａ，１７ｂ、１８ａ，１８ｂで例示するように、前記長手方向に関して捩り方向に弾性変形させることができる。
【００３４】
このように本実施形態のマッサージ器具１は、上述したハンドル部２の形態及び／又は材質により発揮されるアーム部５ａ，５ｂの弾性変形によって、ローラー３ａ，３ｂを互いに離反又は接近させ、形態や凹凸が様々に異なり又は変化する身体の各部位において、ローラーの外周面を皮膚面に従来より広い範囲で接するように押し当てることができる。これにより、従来よりも広い範囲に同時に、従来より優れたマッサージ効果、美容効果を及ぼすことができる。
【００３５】
例えば、ハンドル部２を手で握り、図３中想像線Ｓk1で示す身体の皮膚面に対して、アーム部５ａ，５ｂを比較的浅い角度にしてローラー３ａ，３ｂの外周面を押し当て、前方即ち基部４とは反対方向の図中左側に押し出す。これにより、ローラー３ａ，３ｂは、図中反時計周りに回転しながら皮膚面Ｓk1に沿って前進する。このとき、ローラー３ａ，３ｂ（即ち、ローラー支軸６ａ，６ｂ）の開き角度θは１８０°より小さいので、アーム部５ａ，５ｂは、図２における左右方向に開く即ち互いに離反する向きに弾性変形する。
【００３６】
その結果、ローラー支軸６ａ，６ｂの開き角度θが自然状態の場合よりも大きくなると共に、弾性変形した前記アーム部が元の状態に弾性復帰しようとして、ローラー３ａ，３ｂを互いに接近させる向きに反力が作用する。この反力と前進するローラー３ａ，３ｂの回転力とによって、前記ローラーの直ぐ前方の皮膚は、該ローラー側に従来よりも大きな力で引っ張られる。従って、従来よりも広い範囲において、従来よりも大きなマッサージ効果が得られる。
【００３７】
逆に、上述したように身体の皮膚面Ｓk1に、アーム部５ａ，５ｂを比較的浅い角度にしてローラー３ａ，３ｂを押し当てた状態で、ハンドル部２を基部４側へ即ち図３中右側へ引くと、ローラー３ａ，３ｂは図中時計周りに回転しながら後退する。このとき、ローラー３ａ，３ｂ（即ち、ローラー支軸６ａ，６ｂ）は、後退方向に関して１８０°より大きい角度で開いているので、アーム部５ａ，５ｂは、図２における左右方向に閉じる即ち互いに接近する向きに弾性変形する。
【００３８】
その結果、ローラー支軸６ａ，６ｂの開き角度θは自然状態の場合よりも小さくなり、同様に弾性変形した前記アーム部が元の状態に弾性復帰しようとして、ローラー３ａ，３ｂを互いに離反させる向きに反力が作用する。この反力と後退するローラー３ａ，３ｂの回転力とによって、前記ローラーの直ぐ後方（後退方向を前方として）の皮膚は、該ローラー側から従来よりも大きな力で後方に押し出される。従って、従来よりも広い範囲において、従来よりも大きな皮膚の引き締め効果が得られる。
【００３９】
また、図３中想像線Ｓk2で示す身体の皮膚面に対して、アーム部５ａ，５ｂを比較的深い角度にしてローラー３ａ，３ｂの外周面を、その軸線方向の全長で皮膚面Ｓk2に接するように押し付ける。これにより、アーム部５ａ，５ｂは、図２における左右方向に開く即ち互いに離反する向きに弾性変形し、ローラー３ａ，３ｂは互いに離反する。このとき、アーム部５ａ，５ｂが元の状態に弾性復帰しようとして、ローラー３ａ，３ｂを互いに接近させる向きに反力が発生し、前記両ローラーで皮膚面Ｓk2を摘むように作用する。
【００４０】
この状態からハンドル部２を引き上げると、ローラー３ａ，３ｂは、皮膚面Ｓk2に押し付けられていた向きによって時計周り又は反時計周りに少し回転しながら、該皮膚面から引き離される。このとき、両ローラー３ａ，３ｂによって、該ローラーに接していた皮膚面Ｓk2が、アーム部５ａ，５ｂの反力を加えた従来より大きい力で摘み上げられるので、従来よりも広い範囲において、従来よりも大きなマッサージ効果が得られる。
【００４１】
以上、本考案を好適な実施態様に関連して説明したが、本考案は上記実施態様に限定されるものでなく、その技術的範囲において、様々な変更又は変形を加えて実施し得ることは言うまでもない。例えば、ハンドル部２は、１対のアーム部を有し、かつ該アーム部がその長手方向に直交する向きに撓曲するように弾性変形し得る限り、上述した以外の様々な形態が可能である。
【符号の説明】
【００４２】
１    マッサージ器具
２    ハンドル部
３ａ，３ｂ    ローラー
４    基部
５ａ，５ｂ    アーム部
６ａ，６ｂ    ローラー支軸
【図１】
0003206001.tif 000003
【図２】
0003206001.tif 000004
【図３】
0003206001.tif 000005
【図４】
0003206001.tif 000006